【手続補正書】
【提出日】平成18年5月22日(2006.5.22)
【手続補正１】
【補正対象書類名】明細書
【補正対象項目名】００１２
【補正方法】変更
【補正の内容】
【００１２】
本発明の請求項１または請求項２に係る遊技機によれば、球受け筒部の上方開口を介して、カバー部材(板状本体)の前側に異物が挿入された際には、該板状本体に形成した突出片により該異物が前記遊技盤側に侵入するのを規制し、該球受け筒部の上方開口を介してカバー部材(板状本体)の後側に異物が挿入された際には、球受け筒部を開口部へ挿入させたことにより、該異物が該板状本体の前側に移動するのは規制されるから、当該異物が遊技盤側へ侵入するのを確実に防止される。このように、遊技機に大型の遊技盤を配設して、前記球受け筒部の上方側を切り欠いた場合であっても、該球受け筒部に挿入された異物が遊技盤側へ挿入されるのを確実に規制することができる。そして、カバー部材と左右の庇状部とを当接させたことで、該カバー部材の後側から侵入した異物が、カバー部材と庇状部との間から遊技盤側に侵入することはない。
【手続補正２】
【補正対象書類名】明細書
【補正対象項目名】００１３
【補正方法】変更
【補正の内容】
【００１３】
また、請求項３に係る遊技機によれば、遊技補助盤に到来した遊技球を下球受け皿に回収する回収口の前側まで前記カバー部材が位置する大きさに、前記板状本体を寸法設定したから、該回収口を介してカバー部材(板状本体)の前側に異物が侵入して遊技盤側まで到達するのは阻止され、不正行為を確実に防止できる。また、前記カバー部材の後面に遊技球を回収口に向けて案内する球誘導部を形成することで、遊技補助盤に到来した遊技球をスムーズに前記回収口まで案内し得ると共に、該球誘導部により回収口から遊技盤まで到達する経路を制限でき、当該回収口から侵入した異物が遊技盤まで到達するのは抑制される。更に、請求項４に係る遊技機によれば、前記球受け筒部の上方開口を介して前記板状本体の後面側に挿入された異物が、前記開口領域に到達するのを防止して、該異物が遊技盤側に侵入するのを確実に防止し得る。
【手続補正３】
【補正対象書類名】明細書
【補正対象項目名】００２８
【補正方法】変更
【補正の内容】
【００２８】
また、前記板状本体４２の左右の幅寸法は、前記左右の庇状部２８,２９に形成した前記第１および第２切欠部２８ａ,２９ａに整合し、かつ該板状本体４２の左側部は、前記給出口３１の左側に位置する前記第２壁部３４に当接する位置まで延在するよう設定される。すなわち、前記板状本体４２は、前記右庇状部２９の第２切欠部２９ａおよび前記第２壁部３４に当接する位置まで延在するよう設定することで、前記開口領域３０の右方位置から給出口３１の左方位置まで延在する大きさに寸法設定されている。また、前記板状本体４２の厚み寸法は、前記仕切板３８(設置盤３７の上端部)における前記凹部３８ｂに整合するよう設定されており、該板状本体４２を取り付けた状態で、該板状本体４２の前面が両庇状部２８,２９の前端面および設置盤３７の前面と略同一平面上に位置するようになっている。すなわち、図４に示すように、前記突出片４４は、前記左右の庇状部２８,２９より前側に突出している。従って、図６に示すように、前記上球皿１６を前記中枠１２に対して閉成した際には、前記金属板部材１７が前記カバー部材４１の突出片４４に圧接して、該金属板部材１７と突出片４４とが密着すると共に、カバー部材４１の後面と左右の庇状部２８,２９とが密着するようになっている。また、前記板状本体４２の上下の高さ寸法は、前記左右の庇状部２８,２９の上端縁から前記仕切板３８(設置盤３７の上端縁)まで延在するよう設定されており、該板状本体４２が両庇状部２８,２９および仕切板３８の凹部３８ｂに当接するようになっている。すなわち、前記板状本体４２は、前記回収口３５の前側まで延在する大きさに寸法設定されて、該板状本体４２により、前記給出口３１および回収口３５の周囲を被覆するようになっている。なお、前記板状本体４２は、前記左右の庇状部２８,２９より僅かに上方に突出するよう形成されて、前記上球皿１６を閉成した際に、該板状本体４２の上端縁が前記金属板部材１７における係合レール１７ａの下面に密着するよう設定される。
【手続補正４】
【補正対象書類名】明細書
【補正対象項目名】００３１
【補正方法】変更
【補正の内容】
【００３１】
また、前記板状本体４２の裏側下端部には、前記溢れ球回収路３３に連接して前記回収口３５の開口左側まで延在する板状の球誘導部４７が遊技補助盤２７側に向けて延出しており、該溢れ球回収路３３を転動するパチンコ球を回収口３５に向けて案内するようになっている。すなわち、前記上球皿１６を開放した際に、前記給出口３１や球受け筒部１６ｄからパチンコ球が溢れると、前記溢れ球回収路３３および前記球誘導部４７を転動して前記回収口３５に向けて案内される。ここで、前記遊技補助盤２７の前側、すなわち前記溢れ球回収路３３や回収口３５の前側を、前記カバー部材で覆うようにしてあるから、給出口３１や球受け筒部１６ｄから溢れたパチンコ球が、パチンコ機１０(中枠１２)の外側にこぼれ落ちるのは防止される。なお、前記球誘導部４７は、溢れ球回収路３３と略同一の傾斜角度で形成してある。
【手続補正５】
【補正対象書類名】明細書
【補正対象項目名】００３２
【補正方法】変更
【補正の内容】
【００３２】
更に、前記板状本体４２の裏側には、前記遊技補助盤２７に向けて延出すると共に上下方向に延在する板状の第１〜第３規制部４８,４９,５０が形成されている(図８(a),(b)参照)。前記第１規制部４８は、前記発射レール２０の上端に対応する位置に、前記板状本体４２の上端縁から該遊技補助盤２７の第３壁部３６の上面に密着する上下の長さ寸法で形成される。また、前記第２規制部４９は、その下端部が前記仕切板３８に形成した段部３８ｃの左側に位置し、かつ上端部が前記右庇状部２９の下面に近接する上下の長さ寸法で形成されている。そして、前記第３規制部５０は、その下端部が前記段部３８ｃの右上端部に密着し、かつ上端部が前記発射レール２０の長手方向の略中央位置の上面に近接する上下の長さ寸法で形成される。なお、前記第１〜第３規制部４８,４９,５０の前後の奥行き寸法は、夫々の後端部が前記発射レール２０の前端面に当接する位置まで延在するよう設定されている。
【手続補正６】
【補正対象書類名】明細書
【補正対象項目名】００３８
【補正方法】変更
【補正の内容】
【００３８】
また、例えばパチンコ機１０に配設した前記上球皿１６の球受け筒部１６ｄから異物が挿入される可能性がある。ここで、前記球受け筒部１６ｄは、前記カバー部材４１に開設した第３開口部４３を介して前記遊技補助盤２７側に延出し、前記給出口３１に臨むよう構成されている。従って、前記球受け筒部１６ｄに異物を挿入した場合には、該球受け筒部１６ｄの上方開口１６ｅを介して、前記カバー部材４１の前側(カバー部材４１と上球皿１６との間)から遊技盤１４側に異物を侵入させる場合と、該上方開口１６ｅを介してカバー部材４１の後側(カバー部材４１と遊技補助盤２７との間)から遊技盤１４側に侵入させる場合とが考えられる。
【手続補正７】
【補正対象書類名】明細書
【補正対象項目名】００３９
【補正方法】変更
【補正の内容】
【００３９】
そこで、先ず前記球受け筒部１６ｄの上方開口１６ｅを介して、前記カバー部材４１の前側から異物が侵入された場合について説明する。前述したように、前記カバー部材４１に形成した前記突出片４４を前記上球皿１６の後面(金属板部材１７)に密着させて、前記遊技補助盤２７側と遊技盤１４側とを完全に隔離するようにしてある。このため、前記カバー部材４１(板状本体４２)の前側から異物が挿入された際には、該異物は前記突出片４４により規制されて遊技盤１４側に侵入するのは規制される。更に、前記突出片４４を、前記板状本体４２の左右方向の略全長に亘って形成するようにしたから、異物をより確実に規制することができ、不正行為を好適に防止することができる。また、仮に突出片４４と上球皿１６の後面(金属板部材１７)との間から異物が侵入しても、該カバー部材４１の上端縁を金属板部材１７の係合レール１７ａの下面に密着するようにしたから、前記遊技盤１４側まで異物が侵入することはない。このように、前記遊技盤１４側への異物の侵入を２重に規制するよう構成しているから、異物を遊技盤１４の遊技領域１４ａへ侵入させる不正行為を確実に阻止し得る。
【手続補正８】
【補正対象書類名】明細書
【補正対象項目名】００４１
【補正方法】変更
【補正の内容】
【００４１】
また、前述したように、前記板状本体４２を、前記開口領域３０の右方位置から前記給出口３１の左方位置まで延在する大きさに寸法設定し、該給出口３１と対応する位置に開設した第３開口部４３に前記球受け筒部１６ｄを挿入するようになっている。従って、板状本体４２(カバー部材４１)の後側まで一旦侵入した異物は、該板状本体４２の後面に当接することになるから、この異物を板状本体４２の前面側に移動させることは不可能である。すなわち、前記球受け筒部１６ｄの上方開口１６ｅを介して前記板状本体４２の後側に侵入させた異物を、前記カバー部材４１の前側に移動させて、前記開口領域３０から前記遊技盤１４側まで侵入されるのは確実に防止し得る。このように、前記球受け筒部１６ｄの上方開口１６ｅを介して前記板状本体４２の後側に侵入した異物は、前記第１壁部３２により前記遊技盤１４側に侵入するのを防止され、該板状本体４２の前側から遊技盤１４側へ侵入するのも防止されるから、パチンコ機１０に大型の遊技盤１４を配設して、前記球受け筒部１６ｄの上方側を切り欠いて開口させる必要がある場合であっても、遊技盤１４側へ異物が挿入されるのを確実に規制して不正行為を好適に防止することが可能である。
【手続補正９】
【補正対象書類名】図面
【補正対象項目名】図１
【補正方法】変更
【補正の内容】
【図１】
2005192712.tif 000001
【手続補正１０】
【補正対象書類名】図面
【補正対象項目名】図６
【補正方法】変更
【補正の内容】
【図６】
2005192712.tif 000002
【手続補正１１】
【補正対象書類名】図面
【補正対象項目名】図９
【補正方法】変更
【補正の内容】
【図９】
2005192712.tif 000003
【手続補正１２】
【補正対象書類名】図面
【補正対象項目名】図１１
【補正方法】変更
【補正の内容】
【図１１】
2005192712.tif 000004